(57)【要約】【課題】枠形状に形成した弾性枠体からなる係合受具を用いることで、該係止受具を圧縮しピン状にして装飾体の小孔に通し、拡大状態にして係止具に掛止めることができる装身具を提供する。【解決手段】係合受具は、チェーン本体の延長方向の前後両端に対して中途個所を上下外方に突出形成し該中途個所を両側から内方に挟圧すると前後両端と略同じ幅に圧縮される略菱形または楕円形の枠形状に形成した弾性枠体からなっており、係止受具は、中途個所を挟圧した圧縮状態でピン状となってチェーン本体に装着する装飾体のバチカン金具や取付孔の穴に通すことができ、拡大状態にして係止具に掛止めることができることを特徴とする。【選択図】図２
2011087663.tif 000002
【特許請求の範囲】
【請求項１】
チェーンその他の可撓性線状体の先端に設けられた係合受具と、チェーン本体に取り付けられて前記係合受具を掛け止める係止具とからなるネックレス、ブレスレットまたはアンクレットからなる装身具において、
係合受具は、チェーン本体の延長方向の前後両端に対して中途個所を上下外方に突出形成し該中途個所を両側から内方に挟圧すると前後両端と略同じ幅に圧縮される略菱形または楕円形の枠形状に形成した弾性枠体からなっており、
該係止受具は、係止具の一方の構成部材を分離して係止受具の枠内に挿入し係止具の他方の構成部材に連結することで係止具に掛止めることができ、
チェーン本体に装着する装飾体のバチカン金具もしくは取付孔の穴は、前記係止受具の中途個所を挟圧した圧縮状態でのみ係合受具が長手方向から挿通可能な大きさに設定されていることを特徴とする装身具。
【請求項２】
留め具が、一対の透孔を有するケーシングと、該ケーシングに内装されてチェーン本体を挿通させる孔を有する弾性体とを備えており、前記一対の透孔と弾性体の孔とが連通して貫通孔となっており、前記留め具に係止具が連結されていることを特徴とする請求項１に記載の装身具。
【請求項３】
係合受具が、１本のワイヤを略菱形または略楕円形に折り曲げ、端部を結束具で固定してチェーン本体の先端に連結してなることを特徴とする請求項１または２に記載の装身具。
【請求項４】
係合受具が中途個所を挟圧した圧縮状態でのみ留め具の貫通孔に長手方向から挿通可能な大きさに設定されていることを特徴とする請求項２に記載の装身具。
【請求項５】
チェーンや紐などの可撓性線状体の一端に固定された係合受具と、可撓性線状体の他端側に取り付けられて前記係合受具を掛け止める係止具とを有するネックレス、ブレスレットまたはアンクレットからなる装身具において、
係合受具は、可撓性線状体の延長方向の前後両端に対して中途個所を上下外方に突出形成し該中途個所を挟圧すると前後両端と略同じ幅に圧縮されてピン状に変形する略菱形または楕円形の弾性枠体からなっており、
係止具が、一対の透孔を有するケーシングと、該ケーシングに内装されてチェーン本体を挿通させる孔を有する弾性体とを備え、前記一対の透孔と弾性体の孔とが連通して貫通孔とする留め具からなっており、前記ケーシングにチェーンの他端を掛止める引き輪などの掛止具が連結されており、
前記係止具の貫通孔は、前記係止受具の中途個所を挟圧した圧縮状態でのみ係合受具が長手方向から挿通可能な大きさに設定されていることを特徴とする装身具。
【発明の詳細な説明】
【技術分野】
【０００１】
この発明は、ネックレス、ブレスレットまたはアンクレットからなる装身具のチェーンや紐などの可撓性線状体の一方の端部に拡縮可能な係合受具を固定し、装飾体を容易に可撓性線状体に取り付けたり、可撓性線状体の他方の端部側に取り付けられた係止具に係合受具を掛止めて可撓性線状体を環状に保持しうるようにした装身具の改良に関する。
【背景技術】
【０００２】
従来、装身具の一例であるネックレスにあっては、例えば実用新案登録第３１１４６３３号に示すように、ネックレス基体と、バチカン或いは取付孔等を介してネックレス基体に装着されるペンダントトップと、ネックレス基体の一端部分に装着される係止具と、この係止具とネックレス基体の他端とを連結する止め具とを備えたネックレスに於いて、止め具は、少なくとも一対の透孔を有する外殻体と、この外殻体に内装される弾性パイプとを備え、ネックレス基体の他端にはスライドピンを延設し、このスライドピンは、止め具本体を貫通できるような長さに形成され、ペンダントトップのバチカン或いは取付孔や、止め具の透孔や、弾性パイプに設けられた貫通孔を、スライドピンが挿通可能となるように構成したペンダントトップを有するネックレスが開示されている。
上記構成では、小径のスライドピンを用いることで、前記各孔を通すことができるが、使用法としてはスライドピンを常に止め具の弾性パイプに通して可撓性線状体をリング形状にする必要があり、係止具に連結する部材を別途可撓性線状体の他方の端部に設ける必要があった。
【先行技術文献】
【特許文献】
【０００３】
【特許文献１】実用新案登録第３１１４６３３号
【発明の概要】
【発明が解決しようとする課題】
【０００４】
この発明は、上記事情に鑑みて創案されたものであって、その主たる課題は、スライドピンに代えて略菱形または楕円形の弾性枠体からなる係合受具を用いることで、該係止受具を圧縮しピン状に変形させて装飾体取付用の孔に通したり、枠形状に戻して係止具に掛止めることができる装身具を提供することにある。
【課題を解決するための手段】
【０００５】
この発明は、上記課題を解決するために、請求項１の発明では、
チェーンや紐などの可撓性線状体の一端に固定された係合受具と、可撓性線状体の他端側に取り付けられて前記係合受具を掛け止める係止具とを有するネックレス、ブレスレットまたはアンクレットからなる装身具において、
係合受具は、可撓性線状体の延長方向の前後両端に対して中途個所を上下外方に突出形成し該中途個所を挟圧すると前後両端と略同じ幅に圧縮されてピン状に変形する略菱形または楕円形の弾性枠体からなっており、
該係止受具は、係止具の一方の構成部材を分離して係止受具の枠内に挿入し係止具の他方の構成部材に連結することで係止具に掛止めることができ、
可撓性線状体に装着する装飾体のバチカン金具もしくは取付孔の穴は、前記係止受具の中途個所を挟圧した圧縮状態でのみ係合受具が長手方向から挿通可能な大きさに設定されていることを特徴とする。
【０００６】
また、請求項２記載の発明では、
前記留め具が、一対の透孔を有するケーシングと、該ケーシングに内装されてチェーン本体を挿通させる孔を有する弾性体とを備えており、前記一対の透孔と弾性体の孔とが連通して貫通孔となっており、前記留め具に係止具が連結されていることを特徴とする。
請求項３の発明では、
前記係合受具が、１本のワイヤを略菱形または略楕円形に折り曲げ、端部を結束具で固定して可撓性線状体の先端に連結してなることを特徴とする。
また、請求項４の発明では、
前記係合受具が中途個所を挟圧した圧縮状態でのみ留め具の貫通孔に長手方向から挿通可能な大きさに設定されていることを特徴とする。
更に、請求項５の発明では、
チェーンや紐などの可撓性線状体の一端に固定された係合受具と、可撓性線状体の他端側に取り付けられて前記係合受具を掛け止める係止具とを有するネックレス、ブレスレットまたはアンクレットからなる装身具において、
係合受具は、可撓性線状体の延長方向の前後両端に対して中途個所を上下外方に突出形成し該中途個所を挟圧すると前後両端と略同じ幅に圧縮されてピン状に変形する略菱形または楕円形の弾性枠体からなっており、
係止具が、一対の透孔を有するケーシングと、該ケーシングに内装されてチェーン本体を挿通させる孔を有する弾性体とを備え、前記一対の透孔と弾性体の孔とが連通して貫通孔とする留め具からなっており、前記ケーシングにチェーンの他端を掛止める引き輪などの掛止具が連結されており、
前記係止具の貫通孔は、前記係止受具の中途個所を挟圧した圧縮状態でのみ係合受具が長手方向から挿通可能な大きさに設定されていることを特徴とする。
【発明の効果】
【０００７】
この発明によれば可撓性線状体の先端に設けた係止受具の中途個所を挟圧して圧縮状態にすることでピン状に変形させて装飾体を可撓性線状体に装着するための小さい孔に通すことができ、また中途個所を元の状態に拡大することで係止具による掛止を行うことができる。
前記留め具を係止具として用い、係合受具を留め具の貫通孔に挿通して可撓性線状体をリング状に係止してもよい。
【図面の簡単な説明】
【０００８】
【図１】実施例１のネックレスの展開状態を示す一部を省略した正面図である。
【図２】実施例１のネックレスを環状に掛止めた個所の要部拡大図である。
【図３】（ａ）は係合受具が略菱形の枠形状の場合の要部拡大図、（ｂ）は係合受具が略楕円形の枠形状の場合の要部拡大図である。
【図４】（ａ）は係合受具がピン状に圧縮された状態を示す要部拡大図、（ｂ）はペンダントトップに圧縮状態の係合受具が挿通可能なバチカンが連結された状態の正面図、（ｃ）はペンダントトップに圧縮状態の係合受具が挿通可能な取付孔が穿設された状態の正面図である。
【図５】実施例２のネックレスの展開状態を示す一部を省略した正面図である。
【図６】実施例２のネックレスを環状に掛止めた状態を示す一部を省略した正面図である。
【図７】実施例３のネックレスの係合受具を留め具の貫通孔に挿通している状態を示す要部拡大図である。
【図８】実施例３のネックレスの係合受具を留め具の貫通孔に挿通している状態を示す要部拡大図である。
【発明を実施するための形態】
【０００９】
この発明は、略菱形または楕円形の弾性枠体からなる係合受具を用いることで、該係止受具を圧縮してピン状に変形して装飾体の小孔に通し、拡大状態にして係止具に掛止めることができるようにした。
【実施例１】
【００１０】
［ネックレス］
以下に、この発明の装身具をネックレスに適用した場合の好適実施例について図面を参照しながら説明する。
図１に示すネックレス１は、可撓性線状体の一例としてのチェーン本体１１と、該チェーン本体１１の先端に固着された係合受具２０と、前記チェーン本体１１の他端に取り付けられた係止具１２とからなっている。
【００１１】
［チェーン本体］
本実施例では可撓性線状体の一例としてチェーン本体１１を例示したが、この発明では、紐やワイヤなどの可撓性を有して線状に伸びるものであればよい。
本実施例では、チェーン本体１１の幅は、後述の係合受具２０を圧縮した際の幅とほぼ同じ又はそれ以下の幅に設定しておくことが好ましい。
［係合受具］
係合受具２０は、チェーン本体１１の先端に固着されており、チェーン本体１１の延長方向の前後両端部２１、２２に対して中途個所２３、２４を上下外方に突出形成し、該中途個所２３、２４を両側から内方に挟圧すると前後両端部２１、２２と略同じ幅に圧縮されてピン状に変形する略菱形または略楕円形の枠形状に形成した弾性ワイヤからなっている（図３および図４（ａ）参照）。
【００１２】
この係合受具２０は、図３に示すように、１本のワイヤを略菱形または略楕円形に折り曲げて、前後両端部２１、２２を結束具２５で固定して、外方へ突出する中途個所２３、２４に弾性を持たせている。
そして、前記結束具２５はチェーン本体１１の先端に固着されている。
この結束具２５の外周の幅は、前記係合受具２０を圧縮した際の幅とほぼ同じ又はそれ以下の幅に設定しておくことが好ましい。
【００１３】
［係止具］
係止具１２は、一対の構成部材からなって、一方の構成部材を他方の構成部材に対して開閉可能な構造として係合受具２０を掛止めるものであって、図示例ではリングの一端を開閉する引き輪が用いられているが、カニカンなどであってもよい。
本実施例では、係止具１２は摺動軸１３を後退させて切欠リング１４の一端を開き、この開口１４ａから切欠リング１４内に係止受具２０の一方の枠を通し、前記摺動軸１３を前進させて切欠リング１４を閉じて無端に戻すことで、係止具１２に前記係合受具２０を掛止めることができる。
【００１４】
［装飾体］
装飾体の一例として示すペンダントトップ３０は、ペンダントトップ３０に固着されたバチカン金具３１（図４（ｂ）参照）またはペンダントトップ３０に直接穿設された取付孔３０ａ（図４（ｃ）参照）に前記チェーン本体１１を通して取り付けられる。
【００１５】
そこで、前記ペンダントトップ３０のバチカン金具３１または取付孔３０ａの穴は、前記係止受具２０の中途個所２３，２４を挟圧してピン状に変形する圧縮状態（図４（ａ）参照）で係合受具２０が長手方向から挿通可能な大きさに設定されている。
【００１６】
従って、前記係止受具２０が前記バチカン金具３１または取付孔３０ａの穴を通り抜けて中途個所２３、２４が弾性力で拡大方向に復帰すると、係止受具２０はチェーン本体１１の抜け止めとして機能する。
【００１７】
従って、略菱形または楕円形の枠形状からなる係止受具２０をピン状に圧縮変形してペンダントトップ３０のバチカン金具３１または取付孔３０ａの穴に挿通して、ペンダントトップ３０をチェーン本体１１に容易に取り付けたり取りはずしたりすることができる。
【００１８】
そして、圧縮状態から拡大状態に復帰した係止受具２０に対して、係止具１２の摺動軸１３を後退させて切欠リング１４の一端を開き、この開口１４ａからリング１４内に係止受具２０の一方の枠を通し、前記摺動軸１３を前進させて無端に戻すことで、図２に示すように係止具１２に前記係合受具２０を掛止めて、チェーン本体１１を環状に繋ぐことができる（図２参照）。
【実施例２】
【００１９】
実施例２に示すネックレス１は、図５から図６に示すように、係止具１２がチェーン本体１１の端部に固定されることなく、チェンーン本体１１に摺動可能に連結された留め具１６に連結される異なる実施例を示す。
【００２０】
［留め具］
留め具１６は、例えば特許第３９３４８７２号に開示したように、一対の孔を有するケーシング１６ａ内に前記孔に中空部が連通して貫通孔１６ｂを形成するように弾性チューブ１６ｃを内蔵している。
前記留め具１６の貫通孔１６ｂにチェーン本体１１を挿通して、留め具１６をチェーン本体１１に対して摺動自在に取り付けた構成からなっている。
そして、前記ケーシング１６ａの外壁にリングを介して引き輪からなる係止具１２を連結している。
【００２１】
前記チェーン本体１１の先端には係合受具２０が固着されており、反対側の基端にはチェーン抜止用の部材１９が固着されている。
一方、前記貫通孔１６ｂの穴の径は、前記係止受具２０の中途個所２３，２４を挟圧してピン状に変形する圧縮状態（図４（ａ）参照）で、係合受具２０が長手方向から挿通可能な大きさに設定されている。
また、チェーン抜止用の部材１９は前記貫通孔１６ｂより大きく通り抜けることが無い大きさに設定されている。
【００２２】
この発明で前記留め具１６は上記実施例に限らず、一対の透孔を有するケーシングと、該ケーシングに内装されてチェーン本体を挿通させる孔を有する弾性体とを備えており、前記一対の透孔と弾性体の孔とが連通して貫通孔となっていればよい。
【００２３】
係止具１２は、実施例１と同様に引き輪が用いられており、前記留め具１６のケーシングにリングを介して連結されている。
図示例ではケーシングの外壁に溶着されたリング１７に連結された連結リング１８を介して止め輪が任意の方向に角度を変えうるように連結されている。
【００２４】
実施例２の場合も、前記実施例１と同じく、前記係合受具２０を圧縮してピン状に変形して、ペンダントトップ３０をチェーン本体１１に取り付けることができる（図４参照）。
また、係合受具２０は前記留め具１６に連結された係止具１２に前記実施例１と同様に掛止めることができる（図６参照）。
【００２５】
本実施例２では留め具１６をスライドすることで前記係止具１２も連動して移動し、チェーン本体１１が形成する輪の大きさを適宜変形することができる。
その他の構成は前記実施例１と同様であるので、同一構成には同一符号を付してその説明を省略する。
【実施例３】
【００２６】
実施例３のネックレス１は、図７および８に示すように、前記留め具１６を係合受具２０の掛止用の部材（前記実施例の係止具１２に相当する）に用いた場合の異なる実施例を示す。
【００２７】
即ち、留め具１６が係止具１２を有する点は前記実施例２と同様であるが、チェーン本体１１の基端に固定されたチェーン抜止用の部材１９’が同時に係止具１２に掛止可能な穴１９ａ’を有している。
一方、係止受具２０は、チェーン本体１１の先端側のチェーン抜止用の部材として機能する。
【００２８】
即ち、係合受具２０は前記実施例１、２と同様に略菱形の枠形状をピン状に圧縮変形してペンダントトップ３０のバチカン金具１０（または取付孔１０’）の穴に挿通して、ペンダントトップ３０をチェーン本体１１に取り付けることができる（図示せず）。
その後、係合受具２０は再度ピン状に圧縮変形して前記留め具１６の貫通孔１６ｂに挿入し、これを通り抜けると拡大変形して抜け止めとなり、チェーン本体１１を環状に保持することができる。
【００２９】
本実施例では、留め具１６の貫通孔１６ｂの穴は前記係止受具２０の中途個所２３、２４を挟圧してピン状に変形する圧縮状態でのみ係合受具２０が長手方向から挿通可能な大きさに設定されている。
【００３０】
上記実施例では、チェーンを用いた場合を例示したが、紐やワイヤなど可撓性を有する線条であってもよい。
装飾体やバチカン金具、取付孔の形状は図示例に限定されないこと勿論である。
また、装身具は装飾体を有する上記線条から構成されるものであればネックレスに限らず、ブレスレットやアンクレットであってもよい。
その他、要するにこの発明の要旨を変更しない範囲で種々設計変更しうること勿論である。
【符号の説明】
【００３１】
１ 軸部
２ 先行ガイド部
３ 取付部
５ ケース部
６ 透孔
７ 弾性パイプ
８ 貫通孔
９ 取付部
１０  バチカン金具
１１  可撓性線状体
１２  係止具
１３  摺動軸
１４  切欠リング
１６  留め具
１７  リング
１８  連結リング
１９  チェーン抜止用の部材
２０  拡縮ピン
２１  前方端部
２２  後方端部
２３  一方の中途個所
２４  他方の中途個所
２５  結束具
３０  ペンダントトップ
３０ａ  取付孔
３１  バチカン金具
【図１】
2011087663.tif 000003
【図２】
2011087663.tif 000004
【図３】
2011087663.tif 000005
【図４】
2011087663.tif 000006
【図５】
2011087663.tif 000007
【図６】
2011087663.tif 000008
【図７】
2011087663.tif 000009
【図８】
2011087663.tif 000010